(57)【要約】【課題】逆転移の発生を抑圧し、良好な映像を表示することが可能なＯＣＢセルを用いた液晶表示装置の駆動方法および液晶表示装置を提供することを目的とする。【解決手段】画像信号と、逆転移現象抑圧のための非画像信号とを交互に画素に書き込む駆動方式において、画素に画像信号が保持された状態に対して書き込む非画像信号像の所定の基準電位に対する極性をパネル上の全ての画素に対して統一するとともに、画素に非画像信号が保持された状態に対して書き込む画像信号の基準電位に対する極性もまたパネル上の全ての画素に対して統一する。【選択図】図１
2004046236.tif 000002
【特許請求の範囲】
【請求項１】
画素信号が供給される複数のソース線と、走査信号が供給される複数のゲート線と、前記ソース線と前記ゲート線の交点に対応してマトリクス状に配置された画素セルと、で構成された液晶パネルを有する液晶表示装置の駆動方法であって、
　１画像の表示周期である１フレーム期間内に、前記液晶パネル上の全画素セルに、前記１画像に対応する画素信号である画像信号と、前記画像信号とは別の画素信号である非画像信号とを書き込む際に、
　前記画像信号および非画像信号は、所定レベルの電位である基準電位を基準としフレーム期間に同期して極性を反転させて前記画素セルに書き込むことを特徴とする液晶表示装置の駆動方法。
【請求項２】
非画像信号の基準電位に対する極性は、画素セルへの書き込み時点で画素セルが保持している画像信号の前記基準電位に対する極性と同極性となるように制御し、
　画像信号の前記基準電位に対する極性は、画素セルへの書き込み時点で画素セルが保持している非画像信号の前記基準電位に対する極性と逆極性となるように制御することを特徴とする請求項１に記載の液晶表示装置の駆動方法。
【請求項３】
非画像信号の基準電位に対する極性は、画素セルへの書き込み時点で画素セルが保持している画像信号の前記基準電位に対する極性と逆極性となるように制御し、
　画像信号の前記基準電位に対する極性は、画素セルへの書き込み時点で画素セルが保持している前記非画像信号の前記基準電位に対する極性と同極性となるように制御することを特徴とする請求項１に記載の液晶表示装置の駆動方法。
【請求項４】
非画像信号の画素セルへの書き込みにおいて、同時に２本のゲート線を選択することにより、選択された２本の走査線上の画素セルに、同時に同一の非画像信号を書き込み、次に、前記同時に選択された前記ゲート線の一方のゲート線を選択し、該選択されたゲート線上の画素セルに画像信号を書き込むことを特徴とする請求項２に記載の液晶表示装置の駆動方法。
【請求項５】
画像データの画素セルへの書き込みにおいて、同時に２本の前記ゲート線を選択することにより、選択された２本の走査線上の画素セルに同時に同一の画像データを書き込み、次に、前記同時に選択された前記ゲート線の一方のゲート線を選択し、該選択されたゲート線上の画素セルに非画像データを書き込むことを特徴とする請求項３に記載の液晶表示装置の駆動方法。
【請求項６】
非画像データの画素セルへの書き込みにおいて、同時に複数の前記ゲート線を選択することにより、異なる走査線上で、同一データ線上の複数の画素セルに同時に同一の非画像データを書き込むことを特徴とする請求項２に記載の液晶表示装置の駆動方法。
【請求項７】
画像データの画素セルへの書き込みにおいて、同時に複数の前記ゲート線を選択することにより、異なる走査線上で、同一データ線上の複数の画素セルに同時に同一の画像データを書き込むことを特徴とする請求項３に記載の液晶表示装置の駆動方法。
【請求項８】
同時に選択するゲート線は、液晶パネル上の互いに隣接する２本以上の偶数のゲート線であることを特徴とする請求項６または７に記載の液晶表示装置の駆動方法。
【請求項９】
非画像データの画素セルへの書き込みにおいて、更に別の１本のゲート線である予備充電ラインを同時に選択し、該予備充電ラインを含め選択された全てのゲート線上の画素セルに同時に同一の非画像データを書き込み、次に、前記予備充電ラインを選択し、該予備充電ライン上の画素セルに画像データを書き込むことを特徴とする請求項６または８に記載の液晶表示装置の駆動方法。
【請求項１０】
画像データの画素セルへの書き込みにおいて、画像データの書き込みを行うゲート線と、非画像データの書き込みを同時に行う複数の前記ゲート線とを同時に選択し、この選択された全てのゲート線上の画素セルに同時に同一の画像データを書き込み、次に、前記選択されたゲート線のうち、非画像データの書き込みを同時に行う複数の前記ゲート線を選択し、該複数のゲート線上の画素セルに非画像データを書き込むことを特徴とする請求項７または８に記載の液晶表示装置の駆動方法。
【請求項１１】
予備充電ラインを除いた、同時に選択されるゲート線数をＮとするとき、
　フレーム期間に含まれる走査ライン数が（２Ｍ＋１）×Ｎとなるようにあらかじめ調整することを特徴とする、
　請求項４ないし１０のいずれかに記載の液晶表示装置の駆動方法。
【請求項１２】
前記液晶セルがＯＣＢセルであることを特徴とする請求項１ないし１１のいずれかに記載の液晶表示装置の駆動方法。
【発明の詳細な説明】
【技術分野】
【０００１】
　本発明は、アクティブマトリクス型液晶表示装置の駆動方法および液晶表示装置に係り、特に広視野角、高速応答性を有するＯＣＢ（Ｏｐｔｉｃａｌｌｙ　ｓｅｌｆ−Ｃｏｍｐｅｎｓａｔｅｄ　Ｂｉｒｅｆｒｉｎｇｅｎｃｅ）液晶モードを利用した液晶表示装置の駆動方法および液晶表示装置に関するものである。
【背景技術】
【０００２】
　周知のとおり、液晶表示装置は、コンピュータ装置等の画面表示デバイスとして数多く使用されているが、今後はＴＶ用途での使用拡大も見込まれている。しかしながら現在広く使用されているＴＮ（Ｔｗｉｓｔｅｄ　Ｎｅｍａｔｉｃ）モードは視野角が狭く、応答速度も不充分で、視差によるコントラストの低下や、動画像のボケなど、ＴＶとして使用する際の表示性能には大きな課題がある。
【０００３】
　近年、上記ＴＮモードに代わり、ＯＣＢモードに関する研究が進んでいる。ＯＣＢは、ＴＮに比べ、広視野角、高速応答という特性を持ち、自然動画表示により適した表示モードであるといえる。
【０００４】
　以下、従来の液晶表示装置の駆動方法および液晶表示装置に関して説明する。図２において、Ｘ１、Ｘ２、…、Ｘｎはゲート線、Ｙ１、Ｙ２、…、Ｙｍはソース線、２０７はスイッチング素子としての薄膜トランジスタ（以下、ＴＦＴという）で、各ＴＦＴのドレイン電極のそれぞれは画素２０６内の画素電極に接続されている。それぞれの画素２０６は、画素電極と、対向電極と、それら両方の電極にはさまれて保持された液晶で構成される。対向電極は対向駆動部２０５が供給する電圧によって駆動される。
【０００５】
　２０４はゲート線Ｙ１、Ｙ２、…、ＹｍにＴＦＴをオン状態にする電圧または、オフ状態にする電圧を印加するためのゲートドライバである。
【０００６】
　ゲートドライバ２０４は、ソース線へのデータの供給と同期して、ゲート線Ｙ１、Ｙ２、…、Ｙｍに対して順次オン電位を印加する。
【０００７】
　２０３はソース線Ｘ１、Ｘ２、…、Ｘｎに画素２０６に供給する電圧を出力するソースドライバで、供給する電圧の位相は、対向電極に供給される電圧の位相と逆相の関係となる。この対向電極に供給される電圧と、ソース線Ｘ１、Ｘ２、…、Ｘｎに供給され、各画素２０６に印可された電圧の差が、画素２０６内の液晶の両端にかかる電圧で、これが画素２０６の透過率を決定する。
【０００８】
　こうした駆動方法はＯＣＢセルを用いた場合も、ＴＮ型セルを用いた場合も同様である。ただし、ＯＣＢセルは、映像表示を開始する起動段階においてＴＮ型セルにはない独特の駆動が必要となる。
【０００９】
　ＯＣＢセルは画像表示が可能な状態にあたるベンド配向と、表示できない状態にあたるスプレイ配向とをもつ。このスプレイ配向からベンド配向に移行する（以下、転移とよぶ）ためには、一定時間高電圧を印加するなどの独特の駆動が必要となる。ただし、この転移に係る駆動に関しては本発明とは直接関係しないので、これ以上の説明は行わない。
【００１０】
　このＯＣＢセルは、前記の独特な駆動により一旦ベンド配向に転移しても、所定のレベル以上の電圧が一定時間以上印加されない状態が続くと、ベンド配向が維持できずスプレイ配向に戻る（以下、この現象を逆転移とよぶ）という課題があった。
【００１１】
　逆転移の発生を抑圧するには、特開平１１−１０９９２１号公報や日本液晶学会誌１９９９年４月２５日号（Ｖｏｌ．３．Ｎｏ．２）Ｐ９９（１７）〜Ｐ１０６（２４）に記載のあるように、定期的に高い電圧を引加すればよいことが知られている。
【００１２】
　これ以降、周期的に高電位を印可し逆転移を抑圧する駆動をＣＲ駆動とよぶことにする。
【００１３】
　図３に一般的なＯＣＢの電位−透過率曲線を示す。
【００１４】
　図３において３０１は逆転移防止のための所定電位を挿入しない場合の電位−透過率曲線、３０２は逆転移防止のための所定電位を挿入したＣＲ駆動の場合の電位−透過率曲線、３０３は逆転移防止をしない場合のベンド配向からスプレイ配向への逆転移が起きる臨界電位Ｖｔｈ、３０４は最も高い透過率の時の電位（白電位）、３０５は最も低い透過率の時の電位（黒電位）である。逆転移防止をしない場合、Ｖｔｈ以下ではスプレイ配向に戻ってしまうため適切な透過率が得られず、従ってＶｔｈ以上の電位で駆動しなければならないが、図に示すようにその場合には十分な輝度が得られない。
【００１５】
　ＯＣＢやＴＮに代表される液晶は、いわゆる交流駆動を行う必要があるが、上記特開平１１−１０９９２１号公報や、上記日本液晶学会誌においてはその具体構成については述べられておらず、どのような交流反転を行うべきなのかは特定できない（例えば特許文献１参照。）。
【００１６】
　従って、最も一般的な駆動である、ライン毎反転とフレーム毎反転の組み合わせを行った場合のＣＲ駆動を従来例として説明する。図１９は従来の液晶表示装置の構成を示した図、図２０は画像信号及び各ドライバ駆動パルスのタイミングを示した図である。
【００１７】
　以下、図１９、図２０を参照してその駆動を説明する。
【００１８】
　図１９において、１９０１は、入力画像信号をライン毎に倍速化し、２倍速の画像信号と２倍速の非画像信号に変換する信号変換部、１９０２はソース・ゲートの各ドライバを駆動するパルスを生成する駆動パルス生成部、１９０３はソースドライバ、１９０４はゲートドライバ、１９０５は液晶パネルである。便宜上、説明では、液晶パネル１９０５のソース線数は１０ライン、ゲート線数は１０ライン、同様に１フレーム期間は１０水平期間からなるものとしている。
【００１９】
　次に従来におけるＣＲ駆動の動作を説明する。
【００２０】
　先ず、入力画像信号は倍速信号変換部１９０１において、ライン毎に倍速化され、ソースドライバ１９０３に入力される。
【００２１】
　倍速信号変換部１９０１の具体構成は図６に、倍速信号変換動作のタイミングは図５に示す。
【００２２】
　入力する画像信号は、制御信号生成部６０１において前記画像信号に同期した同期信号から生成されるクロック（以下、書き込みクロックと記す）に同期してラインメモリ６０２に書き込まれる。一方、前記ラインメモリ６０２からの画像信号の読み出しは、前記書き込みクロックの２倍の周波数となるように、前記制御信号生成部６０１において同期信号から生成されるクロック（以下、読み出しクロックと記す）に同期して、書き込み時の１／２の期間にラインメモリ６０２から読み出される。ラインメモリ６０２から画像信号を読み出している期間は出力信号選択部６０４は、この画像信号を出力として選択する。また、残りの期間では、出力信号選択部６０４は非画像信号生成部６０３が出力する非画像信号を出力として選択する。
【００２３】
　このように、入力信号における１水平期間に、倍速化された非画像信号と画像信号が時系列に出力される。
【００２４】
　ソースドライバでは、入力された該倍速信号を交流反転しながらパネルのソース線に供給する。
【００２５】
　図２０では交流反転を行う１例として、ライン毎反転とフレーム毎反転の組み合わせを行った場合の構成を示している。
【００２６】
　この交流極性を切り替える極性制御信号は、ライン反転信号（Ａ）とフレーム反転信号（Ｂ）の排他的論理和をとった信号で、制御パルス生成部１９０２で生成される。
【００２７】
　ソースドライバ１９０３の入出力特性を図２４に示す。
【００２８】
　図において、基準電位に対して高い側の信号出力を正極性、低い側を負極性と表現している。
【００２９】
　また、この極性を図２０においては各ゲートの選択期間に”＋”、”−”として示している。
【００３０】
　図に示すように、極性制御信号がＨＩのとき正極性電圧、ＬＯＷのとき負極性電圧がソースドライバ１９０３により供給される。
【００３１】
　図２０において、ゲートパルスＰ１〜Ｐ１０は、そのＨＩ期間にパネル１９０５上の１０本のゲート線をそれぞれ選択するパルスであり、ソースドライバに入力される倍速信号のタイミングに合わせて、以下のとおりに駆動される。
【００３２】
　図２０で示す期間Ｔ０＿１では、ゲートパルスＰ１がＨＩとなり、ゲート線Ｇ１上の画素に、画像信号Ｓ１が正極性で書き込まれる。それに続く期間Ｔ０＿２では、ゲートパルスＰ７がＨＩとなり、ゲート線Ｇ７に非画像信号が負極性で書き込まれる。期間Ｔ０＿３では、ゲートパルスＰ２がＨＩとなり、ゲート線Ｇ２に画像信号Ｓ２が負極性で書き込まれる。それに続く期間Ｔ０＿４では、ゲートパルスＰ８がＨＩとなり、ゲート線Ｇ８に非画像信号が正極性で書き込まれる。以下、極性制御信号（Ｇ）の極性に併せ、信号が順次書き込まれる。
【００３３】
　このように、パネル上の全てのゲート線が１フレーム期間に２回ずつ選択され、各ゲート線上の画素に画像信号と、非画像信号が１回ずつ書き込まれる。
【００３４】
　次の２フレーム目のＴ１＿１では、ゲートパルスＰ１がＨＩとなり、ゲート線Ｇ１上の画素に、画像信号Ｓ’１が１フレーム目とは逆の負極性で書き込まれる。それに続く期間Ｔ１＿２では、ゲートパルスＰ７がＨＩとなり、ゲート線Ｇ７に非画像信号が１フレーム目とは逆の正極性で書き込まれる。以下同様に１フレーム目とは逆極性の信号が順次書き込まれる。
【００３５】
　上記の動作により、周期的に画像信号と非画像信号を書き込むことができ、非画像信号の電圧を適当に与えることで、逆転移を防止することができる。
【特許文献１】特開平１１−１０９９２１号公報
【発明の開示】
【発明が解決しようとする課題】
【００３６】
　しかしながら、上記の駆動においては、画素に書き込まれた画像信号の極性と、書き込まれる非画像信号の極性の関係に注目すると、１ライン目の画素に書き込まれた画像信号の極性と、書き込まれる非画像信号の極性とは逆極性となり、以下５ラインまで同様に逆極性であるが、６ライン〜１０ラインはその関係は同極性になっており、位相関係が崩れている。
【００３７】
　逆に画素に書き込まれた非画像信号の極性と、書き込まれる画像信号の極性についても、１ライン〜５ラインは同極性で、６ライン〜１０ラインは逆極性となっている。このように極性反転の関係があるラインを境に崩れると、液晶への充電に影響を与えて、画質の均一性を損なう原因となる。
【００３８】
　特に、近年の液晶パネルは大型化、高精細化しており、相応してガラス基板内の配線抵抗は増加し、画素の充電時間は短くなる傾向にある。
【００３９】
　そのため、画素トランジスタの性能向上技術等にも関わらず、位相関係の崩れが画素の充電に与える影響は無視できない。
【００４０】
　すなわち、上記の例では画面上５ライン目と６ライン目を境にして輝度差が認識される。
【００４１】
　さらに、非画素信号を挿入しない通常の駆動に比して、上記例では駆動周波数が２倍になっており、各画素に対する画素信号の書き込み時間が１／２に短くなる。
【００４２】
　よって、画素へのデータの書き込みが十分にできない場合が生じうる。
【００４３】
　それ故、本発明の目的は、上記の課題を解決し、良好な映像を表示することが可能な液晶表示装置の駆動方法および液晶表示装置を提供することである。
【課題を解決するための手段】
【００４４】
　この課題を解決するために第１の発明は、画素信号が供給される複数のソース線と、走査信号が供給される複数のゲート線と、前記ソース線と前記ゲート線の交点に対応してマトリクス状に配置された画素セルと、で構成された液晶パネルを有する液晶表示装置の駆動方法で、１画像の表示周期（以下、フレーム期間と記す）内に、前記液晶パネル上の全画素セルに前記１画像に対応する画素信号（以下、画像信号と記す）と、前記画素信号とは別の画素信号（以下、非画像信号と記す）と、を書き込む駆動方法において、前記画像信号、および前記非画像信号は、所定のレベルの電位を基準として、フレーム期間に同期して極性を反転して前記前記画素セルに書き込まれることを特徴とする。
【００４５】
　これにより、各画素の書き込みの程度が均一化され、全画面において均質な画像表示品位が得られる効果がある。
【００４６】
　第２の発明は、第１の発明に対して、前記非画像信号の前記基準電位に対する極性は、画素セルへの書き込み時点で画素セルが保持している前記画像信号の前記基準電位に対する極性と同極性となるように制御され、前記画像信号の前記基準電位に対する極性は、画素セルへの書き込み時点で画素セルが保持している前記非画像信号の前記基準電位に対する極性と逆極性となるように制御されることを特徴とする。
【００４７】
　これにより、非画像信号の書き込みを容易たらしめる効果がある。
【００４８】
　第３の発明は、第１の発明に対して、前記非画像信号の前記基準電位に対する極性は、画素セルへの書き込み時点で画素セルが保持している前記画像信号の前記基準電位に対する極性と逆極性となるように制御され、前記画像信号の前記基準電位に対する極性は、画素セルへの書き込み時点で画素セルが保持している前記非画像信号の前記基準電位に対する極性と同極性となるように制御されることを特徴とする。
【００４９】
　これにより、画像信号の書き込みを容易たらしめる効果がある。
【００５０】
　第４の発明は、第２の発明に対して、前記非画像信号の画素セルへの書き込みにおいて、同時に２本の前記ゲート線を選択することにより、選択された２本の走査線上の画素セルに、同時に同一の非画像信号を書き込み、次に、前記同時に選択された前記ゲート線の一方のゲート線を選択し、この選択されたゲート線上の画素セルに画像信号を書き込むことを特徴とする。
【００５１】
　これにより、第４の発明は、第２の発明に対して、さらに画像信号の書き込みをも容易たらしめる効果がある。
【００５２】
　第５の発明は、第３の発明に対して、前記画像データの画素セルへの書き込みにおいて、同時に２本の前記ゲート線を選択することにより、選択された２本の走査線上の画素セルに、同時に同一の画像データを書き込み、次に、前記同時に選択された前記ゲート線の一方のゲート線を選択し、この選択されたゲート線上の画素セルに非画像データを書き込むことを特徴とする。
【００５３】
　これにより、第５の発明は、第３の発明に対して、さらに非画像信号の書き込みをも容易たらしめる効果がある。
【００５４】
　第６の発明は、第２の発明に対して、前記非画像データの画素セルへの書き込みにおいて、同時に複数の前記ゲート線を選択することにより、異なる走査線上で、同一データ線上の複数の画素セルに同時に同一の非画像データを書き込むことを特徴とする。
【００５５】
　これにより、非画像信号書き込みによる各画素の書き込み時間の短縮を避け、書き込み時間短縮による画像劣化を排除する効果がある。
【００５６】
　第７の発明は、第３の発明に対して、前記画像データの画素セルへの書き込みにおいて、同時に複数の前記ゲート線を選択することにより、異なる走査線上で、同一データ線上の複数の画素セルに同時に同一の画像データを書き込むことを特徴とする。
【００５７】
　これにより、非画像信号書き込みによる各画素の書き込み時間の短縮を避け、書き込み時間短縮による画像劣化を排除する効果がある。
【００５８】
　第８の発明は、第６、第７の発明に対して、前記同時に選択するゲート線は、液晶パネル上の互いに隣接する２本以上の偶数のゲート線であることを特徴とする。
【００５９】
　第９の発明は、第６、第８の発明に対して、前記非画像データの画素セルへの書き込みにおいて、さらに別の１本のゲート線（以下、予備充電ラインと記す）を同時に選択し、この予備充電ラインを含め選択された全てのゲート線上の画素セルに同時に同一の非画像データを書き込み、次に、前記予備充電ラインを選択し、この予備充電ライン上の画素セルに画像データを書き込むことを特徴とする。
【００６０】
　これにより、非画像信号書き込みによる各画素の書き込み時間の短縮を避け、書き込み時間短縮による画像劣化を排除するとともに、画像信号の書き込みをも容易たらしめる効果がある。
【００６１】
　第１０の発明は、第７、第８の発明に対して、前記画像データの画素セルへの書き込みにおいて、画像データの書き込みを行うゲート線と、非画像データの書き込みを同時に行う複数の前記ゲート線とを同時に選択し、この選択された全てのゲート線上の画素セルに同時に同一の画像データを書き込み、次に、前記選択されたゲート線のうち、非画像データの書き込みを同時に行う複数の前記ゲート線を選択し、この複数のゲート線上の画素セルに非画像データを書き込むことを特徴とする。
【００６２】
　これにより、非画像信号書き込みによる各画素の書き込み時間の短縮を避け、書き込み時間短縮による画像劣化を排除するとともに、非画像信号の書き込みをも容易たらしめる効果がある。
【００６３】
　第１１の発明は、第４ないし第１０のいずれかの発明に対して、前記予備充電ラインを除く同時に選択されるゲート線数をＮとするとき、フレーム期間に含まれる走査ライン数が（２Ｍ＋１）×Ｎとなるようにあらかじめ調整することを特徴とする。
【００６４】
　これにより、入力画像信号に依存しうる駆動時のタイミングの不連続性を排除して、入力画像信号に依らない、良好な画像を表示することが可能となる。
【００６５】
　第１２の発明は、第１ないし第１１のいずれかの発明に対して、前記液晶セルがＯＣＢセルであることを特徴とする。
【００６６】
　さらに、入力画像信号に依存しうる駆動時のタイミングの不連続性を排除して、入力画像信号に依らない、良好な画像を表示することが可能となる。
【発明の効果】
【００６７】
　本発明は、上記構成により、各画素の書き込みの程度が均一化され、全画面において均質な画像表示品位が得られるとともに、各画素の書き込み時間の短縮を避け、書き込み時間短縮による画像劣化を排除する効果がある。
【発明を実施するための最良の形態】
【００６８】
　（第１の実施形態）
　図７は、本発明の第１の実施形態に係る液晶表示装置の構成を示す図、図１は画像信号及び各ドライバ駆動パルスのタイミングを示した図である。
【００６９】
　以下、図１、図７を参照してその駆動を説明する。
【００７０】
　なお、第１の実施形態に係る液晶表示装置の構成は、上記従来の実施形態に係る液晶表示装置における、駆動パルス生成部１９０２を７０２に置き換えた構成である。その他の構成は同等であり、当該構成については同一の参照番号を付して、説明を省略する。
【００７１】
　便宜上、説明では、液晶パネル１９０５のソース線数は１０ライン、ゲート線数は１０ライン、同様に１フレーム期間は１０水平期間からなるものとしている。次に第１の実施形態におけるＣＲ駆動の動作を説明する。
【００７２】
　先ず、入力画像信号は倍速信号変換部１９０１において、ライン毎に倍速化され、ソースドライバ１９０３に入力される。
【００７３】
　倍速信号変換部１９０１の具体構成は図６に、倍速信号変換動作のタイミングは図５に示す。
【００７４】
　倍速変換動作については、従来例と同等であるため説明は省略するが、該倍速信号変換部から、入力信号における１水平期間に倍速化された非画像信号と、画像信号が出力される。
【００７５】
　ソースドライバでは入力された該倍速信号を交流反転しながらパネルのソース線に供給する。
【００７６】
　図１では交流反転を行う１例として、ライン毎反転とフレーム毎反転の組み合わせを行った場合の構成を示している。この交流極性を切り替える極性制御信号は、例えば図１に示すように、以下の方法で制御パルス生成部７０２において生成される。
【００７７】
　画像信号期間の時にＨＩを示す画像期間信号（Ａ）と、画像信号の書き込みに同期したフレーム反転信号（Ｂ）と、非画像信号の書き込みに同期したフレーム反転信号（Ｃ）と、ライン毎反転信号（Ｄ）とを用いて、（Ｅ）は（Ｄ）と（Ｂ）の排他的論理和、（Ｆ）は（Ｄ）と（Ｃ）の排他的論理和信号を生成し、さらに（Ａ）がＨＩのとき（Ｅ）、ＬＯＷの時（Ｆ）となる信号（Ｇ）を生成して、これをソース信号の極性制御信号（Ｇ）とする。
【００７８】
　なお、本実施形態で、画像信号の書き込みに同期したフレーム反転信号（Ｂ）と非画像信号の書き込みに同期したフレーム反転信号（Ｃ）との関係は図に示すとおり、（Ｂ）が（Ｃ）より先に立ち下がるような位相関係としなければならない。
【００７９】
　上記のように生成された極性制御信号（Ｇ）を用いて、該制御信号がＨＩのとき正極性電圧、ＬＯＷのとき負極性電圧がソースドライバにより供給される。
【００８０】
　ソースドライバ１９０３の入出力特性は図２４に示す。
【００８１】
　正極性、負極性の関係を図１においては各ゲートの選択期間に”＋”、”−”として示している。
【００８２】
　図１において、ゲートパルスＰ１〜Ｐ１０は、そのＨＩ期間にパネル１９０５上の１０本のゲート線をそれぞれ選択するパルスであり、ソースドライバに入力される倍速信号のタイミングに合わせて、以下のとおりに駆動される。
【００８３】
　図１で示す期間Ｔ０＿１では、ゲートパルスＰ１がＨＩとなり、ゲート線Ｇ１上の画素に、画像信号Ｓ１が負極性で書き込まれる。それに続く期間Ｔ０＿２では、ゲートパルスＰ７がＨＩとなり、ゲート線Ｇ７に非画像信号が正極性で書き込まれる。期間Ｔ０＿３では、ゲートパルスＰ２がＨＩとなり、ゲート線Ｇ２に画像信号Ｓ２が正極性で書き込まれる。それに続く期間Ｔ０＿４では、ゲートパルスＰ８がＨＩとなり、ゲート線Ｇ８に非画像信号が負極性で書き込まれる。以下、極性制御信号（Ｇ）の極性に併せ、信号が順次書き込まれる。
【００８４】
　さらに、期間Ｔ０＿１０において、ゲートパルスＰ１が再度ＨＩとなり、ゲート線Ｇ１上の画素に、非画像信号が負極性で書き込まれる。
【００８５】
　このように、パネル上の全てのゲート線が１フレーム期間に２回ずつ選択され、各ゲート線上の画素に画像信号と、非画像信号が１回ずつ書き込まれる。
【００８６】
　次の２フレーム目のＴ１＿１では、ゲートパルスＰ１がＨＩとなり、ゲート線Ｇ１上の画素に、画像信号Ｓ’１が１フレーム目とは逆の正極性で書き込まれる。それに続く期間Ｔ１＿２では、ゲートパルスＰ７がＨＩとなり、ゲート線Ｇ６に非画像信号が１フレーム目とは逆の負極性で書き込まれる。以下同様に１フレーム目とは逆極性の信号が順次書き込まれる。
【００８７】
　以上のように、本発明の第１の実施形態に係る液晶表示装置の駆動方法によれば、各画素に画像信号と非画像信号が交互に書き込まれ、全ての画素について、画素に書き込まれた非画像信号の極性と、書き込まれる画像信号の極性とが同一となり、画像信号の書き込みが容易となる。従って、各画素への画像信号の書き込みの程度が均一化され、より均一な表示画質を得られる。
【００８８】
　なお、本実施形態では基本的な駆動方式をラインごとに信号の極性を反転する、いわゆるライン反転駆動としたが、本発明の効果はそれに限定されるものではなく、各ライン上の隣り合う画素に書き込まれる信号の極性が互いに反転する、いわゆるカラム反転駆動でも同様である。
【００８９】
　（第２の実施形態）
　図７は、本発明の第２の実施形態に係る液晶表示装置の構成を示す図、図８は画像信号及び各ドライバ駆動パルスのタイミングを示した図である。
【００９０】
　以下、図７、図８を参照してその駆動を説明する。
【００９１】
　なお、第２の実施形態に係る液晶表示装置の構成は、上記従来の実施形態に係る液晶表示装置における、駆動パルス生成部１９０２を７０２に置き換えた構成である。その他の構成は同等であり、当該構成については同一の参照番号を付して、説明を省略する。
【００９２】
　便宜上、説明では、液晶パネル１９０５のソース線数は１０ライン、ゲート線数は１０ライン、同様に１フレーム期間は１０水平期間からなるものとしている。
【００９３】
　次に第２の実施形態におけるＣＲ駆動の動作を説明する。
【００９４】
　先ず、入力画像信号は倍速信号変換部１９０１において、ライン毎に倍速化され、ソースドライバ１９０３に入力される。
【００９５】
　倍速信号変換部１９０１の具体構成は図６に、倍速信号変換動作のタイミングは図５に示す。
【００９６】
　倍速変換動作については、第１の実施形態と同等であるため説明は省略するが、該倍速信号変換部から、入力信号における１水平期間に、倍速化された非画像信号と画像信号が時系列に出力される。
【００９７】
　ソースドライバでは入力された該倍速信号を交流反転しながらパネルのソース線に供給する。
【００９８】
　図８では交流反転を行う１例として、ライン毎反転とフレーム毎反転の組み合わせを行った場合の構成を示している。
【００９９】
　この交流極性を切り替える極性制御信号は、例えば図７に示すように、以下の方法で制御パルス生成部７０２において生成される。
【０１００】
　画像信号期間の時に正を示す画像期間信号（Ａ）と、画像信号の書き込みに同期したフレーム反転信号（Ｂ）と、非画像信号の書き込みに同期したフレーム反転信号（Ｃ）と、ライン毎反転信号（Ｄ）とを用いて、（Ｅ）は（Ｄ）と（Ｂ）の排他的論理和、（Ｆ）は（Ｄ）と（Ｃ）の排他的論理和信号を生成し、さらに（Ａ）がＨＩのとき（Ｅ）、ＬＯＷの時（Ｆ）となる信号（Ｇ）を生成して、これをソース信号の極性制御信号（Ｇ）とする。
【０１０１】
　なお、本実施形態で、画像信号の書き込みに同期したフレーム反転信号（Ｂ）と非画像信号の書き込みに同期したフレーム反転信号（Ｃ）との関係は図に示すとおり、（Ｃ）が（Ｂ）より先に立ち下がるような位相関係としなければならない。
【０１０２】
　極性制御信号（Ｇ）がＨＩのとき正極性電圧、ＬＯＷのとき負極性電圧がソースドライバにより供給される。
【０１０３】
　ソースドライバ１９０３の入出力特性は図２４に示す。
【０１０４】
　正極性、負極性の関係を図８においては各ゲートの選択期間に”＋”、”−”として示している。
【０１０５】
　図８において、ゲートパルスＰ１〜Ｐ１０は、そのＨＩ期間にパネル１９０５上の１０本のゲート線をそれぞれ選択するパルスである。
【０１０６】
　図に示す期間Ｔ０＿１では、ゲートパルスＰ１がＨＩとなり、ゲート線Ｇ１上の画素に、画像信号Ｓ１が負極性で書き込まれる。それに続く期間Ｔ０＿２では、ゲートパルスＰ７がＨＩとなり、ゲート線Ｇ７に非画像信号が負極性で書き込まれる。期間Ｔ０＿３では、ゲートパルスＰ２がＨＩとなり、ゲート線Ｇ２に画像信号Ｓ２が正極性で書き込まれる。
【０１０７】
　それに続く期間Ｔ０＿４では、ゲートパルスＰ８がＨＩとなり、ゲート線Ｇ８に非画像信号が正極性で書き込まれる。以下、極性制御信号（Ｇ）の極性に併せ、信号が順次書き込まれる。
【０１０８】
　さらに、期間Ｔ０＿１０において、ゲートパルスＰ１が再度ＨＩとなり、ゲート線Ｇ１上の画素に、非画像信号が正極性で書き込まれる。。
【０１０９】
　このように、パネル上の全てのゲート線が１フレーム期間に２回ずつ選択され、各ゲート線上の画素に画像信号と、非画像信号が１回ずつ書き込まれる。
【０１１０】
　次の２フレーム目のＴ１＿１では、ゲートパルスＰ１がＨＩとなり、ゲート線Ｇ１上の画素に、画像信号Ｓ’１が１フレーム目とは逆の正極性で書き込まれる。それに続く期間Ｔ１＿２では、ゲートパルスＰ７がＨＩとなり、ゲート線Ｇ７に非画像信号が１フレーム目とは逆の正極性で書き込まれる。以下同様に１フレーム目とは逆極性の信号が順次書き込まれる。
【０１１１】
　以上のように、本発明の第２の実施形態に係る液晶表示装置の駆動方法によれば、各画素に画像信号と非画像信号が交互に書き込まれ、全ての画素について、画素に書き込まれた画像信号の極性と、書き込まれる非画像信号の極性とが同一となり、非画像信号の書き込みが容易となる。従って、各画素への非画像信号の書き込みの程度が均一化され、より均一な表示画質を得られる。
【０１１２】
　なお、本実施形態では基本的な駆動方式をラインごとに信号の極性を反転する、いわゆるライン反転駆動としたが、本発明の効果はそれに限定されるものではなく、各ライン上の隣り合う画素に書き込まれる信号の極性が互いに反転する、いわゆるカラム反転駆動でも同様である。
【０１１３】
　（第３の実施形態）
　第１の実施形態すなわちＣＲ駆動においては、通常の駆動に対して駆動周波数が２倍になっており、各画素に対する画素信号の書き込み時間が１／２に短くなる。よって、液晶パネルの大型化、高精細化に伴い画素へのデータの書き込みが十分にできない場合が生じうる。
【０１１４】
　そこで本発明の第３の実施形態では、第１の実施形態の駆動方式に対して、各画素に対して正規の画素信号書き込みタイミングの直前に、同極性の非画素信号を書き込むことで画素信号の書き込みを改善する、いわゆるプリチャージ駆動を導入するものである。
【０１１５】
　図９は、本発明の第３の実施形態に係る液晶表示装置の構成を示す図、図１０は画像信号及び各ドライバ駆動パルスのタイミングを示した図である。
【０１１６】
　以下、図９、図１０を参照してその駆動を説明する。
【０１１７】
　なお、第３の実施形態に係る液晶表示装置の構成は、上記従来の実施形態に係る液晶表示装置における、駆動パルス生成部１９０２を９０２に置き換えた構成である。その他の構成は同等であり、当該構成については同一の参照番号を付して、説明を省略する。
【０１１８】
　便宜上、説明では、液晶パネル１９０５のソース線数は１０ライン、ゲート線数は１１ライン、同様に１フレーム期間は１１水平期間からなるものとしている。次に第３の実施形態におけるＣＲ駆動の動作を説明する。
【０１１９】
　先ず、入力画像信号は倍速信号変換部１９０１において、ライン毎に倍速化され、ソースドライバ１９０３に入力される。
【０１２０】
　倍速信号変換部１９０１の具体構成は図６に、倍速信号変換動作のタイミングは図５に示す。
【０１２１】
　倍速変換動作については、第１の実施形態と同等であるため説明は省略するが、該倍速信号変換部から、入力信号における１水平期間に、倍速化された非画像信号と画像信号が時系列に出力される。ソースドライバでは入力された倍速信号を交流反転しながら該パネルのソース線に供給する。
【０１２２】
　図１０では交流反転を行う１例として、ライン毎反転とフレーム毎反転の組み合わせを行った場合の構成を示している。
【０１２３】
　この交流極性を切り替える極性制御信号は、第１の実施形態と同等の方法で制御パルス生成部９０２において生成される。該極性制御信号がＨＩのとき正極性電圧、ＬＯＷのとき負極性電圧がソースドライバにより供給される。
【０１２４】
　ソースドライバ１９０３の入出力特性は図２４に示す。
【０１２５】
　正極性、負極性の関係を図１０においては各ゲートの選択期間に”＋”、”−”として示している。図１０において、ゲートパルスＰ１〜Ｐ１０は、そのＨＩ期間にパネル１９０５上の１１本のゲート線をそれぞれ選択するパルスである。
【０１２６】
　図に示す期間Ｔ０＿１では、ゲートパルスＰ１がＨＩとなり、ゲート線Ｇ１上の画素に、画像信号Ｓ１が正極性で書き込まれる。それに続く期間Ｔ０＿２では、ゲートパルスＰ２とＰ５がＨＩとなり、ゲート線Ｇ２とＧ５に非画像信号が負極性で書き込まれる。期間Ｔ０＿３では、ゲートパルスＰ２がＨＩとなり、ゲート線Ｇ２に画像信号Ｓ２が負極性で書き込まれる。それに続く期間Ｔ０＿４では、ゲートパルスＰ３とＰ６がＨＩとなり、ゲート線Ｇ３とＧ６に非画像信号が正極性で書き込まれる。以下、図に示すように信号が順次書き込まれる。
【０１２７】
　このように、パネル上の全てのゲート線が１フレーム期間に３回ずつ選択され、各ゲート線上の画素に画像信号が１回と、非画像信号が２回ずつ書き込まれる。次の２フレーム目のＴ１＿１では、ゲートパルスＰ１がＨＩとなり、ゲート線Ｇ１上の画素に、画像信号Ｓ’１が１フレーム目とは逆の負極性で書き込まれる。それに続く期間Ｔ１＿２では、ゲートパルスＰ２とＰ５がＨＩとなり、ゲート線Ｇ２とＧ５に非画像信号が１フレーム目とは逆の負極性で書き込まれる。以下同様に１フレーム目とは逆極性の信号が順次書き込まれる。
【０１２８】
　以上ように、本発明の第３の実施形態に係る液晶表示装置の駆動方法および液晶表示装置によれば、画像信号の直前の同極性の非画像信号を予備的に書き込むことで、画素への充電をより充分に行うことができ、書き込み時間が短縮することによる書き込み不足を改善することが可能となる。この結果、さらに望ましい表示画質を得られる。
【０１２９】
　なお、図１０では、画像信号書き込み後、７．５水平期間後に非画像信号を書き込むため、画像信号に対し直前にプリチャージする非画像信号は、隣接した０．５水平期間前の位相関係となっている。
【０１３０】
　図１１のような、画像信号書き込み後、６．５水平期間後に非画像信号を書き込む構成であれば、画像信号を書き込む前の、プリチャージする非画像信号は、１．５水平期間前の位相関係となっている。
【０１３１】
　このように、画像信号と、非画像信号の位相関係に伴い、プリチャージ信号の位相は適宜決定される。
【０１３２】
　また、図１０のようにプリチャージ信号の選択期間と、画像信号の選択期間が隣接している場合には、選択期間と選択期間の間に非選択期間を挿入しなくてよいため、ゲートパルスの伝達鈍りの影響を排除することができ、より望ましい構成となる。
【０１３３】
　さらに、上記実施形態は、１フレーム期間が奇数倍の水平期間である方が望ましく、メモり等を用いたレート変換部を設けて、常に１フレーム期間が奇数倍の水平期間となるように適宜信号レート変換を行えば、より望ましい構成となる。
【０１３４】
　なお、本実施形態では基本的な駆動方式をラインごとに信号の極性を反転する、いわゆるライン反転駆動としたが、本発明の効果はそれに限定されるものではなく、各ライン上の隣り合う画素に書き込まれる信号の極性が互いに反転する、いわゆるカラム反転駆動でも同様である。
【０１３５】
　（第４の実施形態）
　第２の実施形態すなわちＣＲ駆動においては、通常の駆動に対して駆動周波数が２倍になっており、各画素に対する書き込み時間が１／２に短くなる。
【０１３６】
　そこで本発明の第４の実施形態では、第２の実施形態の駆動方式に対して、各画素に対して正規の非画素信号書き込みタイミングの直後に、同極性の非画素信号を書き込むことで非画素信号の書き込みを改善する、いわゆるデユアルチャージ駆動を導入するものである。
【０１３７】
　図１２は、本発明の第４の実施形態に係る液晶表示装置の構成を示す図、図１３は画像信号及び各ドライバ駆動パルスのタイミングを示した図である。
【０１３８】
　以下、図１２、図１３を参照してその駆動を説明する。
【０１３９】
　なお、第４の実施形態に係る液晶表示装置の構成は、上記従来の実施形態に係る液晶表示装置における、駆動パルス生成部１９０２を１２０２に置き換えた構成である。その他の構成は同等であり、当該構成については同一の参照番号を付して、説明を省略する。
【０１４０】
　便宜上、説明では、液晶パネル１９０５のソース線数は１０ライン、ゲート線数は１１ライン、同様に１フレーム期間は１１水平期間からなるものとしている。次に第４の実施形態におけるＣＲ駆動の動作を説明する。
【０１４１】
　先ず、入力画像信号は倍速信号変換部１９０１において、ライン毎に倍速化され、ソースドライバ１９０３に入力される。
【０１４２】
　倍速信号変換部１９０１の具体構成は図６に、倍速信号変換動作のタイミングは図５に示す。
【０１４３】
　倍速変換動作については、第１の実施形態と同等であるため説明は省略するが、該倍速信号変換部から、入力信号における１水平期間に、倍速化された非画像信号と画像信号が時系列に出力される。
【０１４４】
　ソースドライバでは入力された倍速信号を交流反転しながら該パネルのソース線に供給する。
【０１４５】
　図１３では交流反転を行う１例として、ライン毎反転とフレーム毎反転の組み合わせを行った場合の構成を示している。
【０１４６】
　この交流極性を切り替える極性制御信号は、第２の実施形態と同等の方法で制御パルス生成部１２０２において生成される。
【０１４７】
　該極性制御信号がＨＩのとき正極性電圧、ＬＯＷのとき負極性電圧がソースドライバにより供給される。
【０１４８】
　ソースドライバ１９０３の入出力特性は図２４に示す。正極性、負極性の関係を図１３においては各ゲートの選択期間に”＋”、”−”として示している。
【０１４９】
　図１３において、ゲートパルスＰ１〜Ｐ１０は、そのＨＩ期間にパネル１９０５上の１１本のゲート線をそれぞれ選択するパルスである。
【０１５０】
　図に示す期間Ｔ０＿１では、ゲートパルスＰ１がＨＩとなり、ゲート線Ｇ１上の画素に、画像信号Ｓ１が正極性で書き込まれる。それに続く期間Ｔ０＿２では、ゲートパルスＰ５とＰ７がＨＩとなり、ゲート線Ｇ５とＧ７に非画像信号が正極性で書き込まれる。期間Ｔ０＿３では、ゲートパルスＰ２がＨＩとなり、ゲート線Ｇ２に画像信号Ｓ２が負極性で書き込まれる。それに続く期間Ｔ０＿４では、ゲートパルスＰ６とＰ８がＨＩとなり、ゲート線Ｇ６とＧ８に非画像信号が負極性で書き込まれる。以下、図に示すように信号が順次書き込まれる。
【０１５１】
　このように、パネル上の全てのゲート線が１フレーム期間に３回ずつ選択され、各ゲート線上の画素に画像信号が１回と、非画像信号が２回ずつ書き込まれる。次の２フレーム目のＴ１＿１では、ゲートパルスＰ１がＨＩとなり、ゲート線Ｇ１上の画素に、画像信号Ｓ’１が１フレーム目とは逆の負極性で書き込まれる。それに続く期間Ｔ１＿２では、ゲートパルスＰ５とＰ７がＨＩとなり、ゲート線Ｇ５とＧ７に非画像信号が１フレーム目とは逆の負極性で書き込まれる。以下同様に１フレーム目とは逆極性の信号が順次書き込まれる。
【０１５２】
　以上ように、本発明の第４の実施形態に係る液晶表示装置の駆動方法および液晶表示装置によれば、非画像信号の書き込み後に、同極性の非画像信号を予後的に書き込むことで、画素への充電をより充分に行うことができ、書き込み時間が短縮することによる書き込み不足を改善することが可能となる。この結果、さらに望ましい表示画質を得られる。
【０１５３】
　ここまででは、非画像信号の書き込み後に、同極性の非画像信号を予後的に書き込む場合を例にとって説明したが、図４に示すように、非画像信号の書き込み直前に同極性の画像信号でプリチャージすることも同様に可能である。
【０１５４】
　なお、上記実施形態は、１フレーム期間が奇数倍の水平期間である方が望ましく、メモリ等を用いたレート変換部を設けて、常に１フレーム期間が奇数倍の水平期間となるように適宜信号レート変換を行えば、より望ましい。
【０１５５】
　また、本実施形態では基本的な駆動方式をラインごとに信号の極性を反転する、いわゆるライン反転駆動としたが、本発明の効果はそれに限定されるものではなく、各ライン上の隣り合う画素に書き込まれる信号の極性が互いに反転する、いわゆるカラム反転駆動でも同様である。
【０１５６】
　（第５の実施形態）
　図１４は、本発明の第５の実施形態に係る液晶表示装置の構成を示す図である。なお、第５の実施形態に係る液晶表示装置の構成は、上記従来の実施形態に係る液晶表示装置における、駆動パルス生成部１９０２を１４０２に、信号変換部１９０１を１４０１に置き換えた構成である。その他の構成は同等であり、当該構成については同一の参照番号を付して、説明を省略する。
【０１５７】
　但し、本実施形態では便宜上、液晶パネル１９０５のソース線数を１０ライン、ゲート線数を１２イン、同様に１フレーム期間は１２期間からなるものとしている。
【０１５８】
　以下、本発明の第５の実施形態における液晶表示装置の駆動方法を、図１５、図１６、図１７をさらに参照して説明する。
【０１５９】
　図１５は、信号変換部１４０１の内部構成を示す図である。
【０１６０】
　図１６は、信号変換部１４０１の動作を示すタイミング図である。
【０１６１】
　図１７は、入力画像信号、信号変換部１４０１の出力画像信号及びゲートドライバ駆動パルスのタイミングを示した図である。
【０１６２】
　図２４はソースドライバ１９０３の入出力特性を示した図である。
【０１６３】
　本発明の液晶表示装置の駆動方法では、液晶パネル上の各画素に対し、入力する画像信号と、この画像信号とは無関係で、ＯＣＢ液晶の逆転移現象を抑圧するために必要な非画像信号とを、１フレーム期間に１度ずつ書き込む駆動を行うが、信号変換部１４０１では、そのための駆動周波数の変換を行う。
【０１６４】
　本実施形態では、入力画像信号における４水平期間に、ソースドライバに対して、非画像信号を１ライン含む、計５ラインの転送を行う、１．２５倍の周波数変換を例として示している。
【０１６５】
　この１．２５倍の周波数変換について説明する。
【０１６６】
　入力された画像信号は、制御信号生成部１５０１において前記画像信号に同期した同期信号から生成されるクロック（以下、書き込みクロックと記す）に同期してラインメモリ６０２に書き込まれる。
【０１６７】
　一方、前記ラインメモリ６０２からの画像信号の読み出しは、前記書き込みクロックの１．２５倍の周波数となるように、前記制御信号生成部１５０１において同期信号から生成されるクロック（以下、読み出しクロックと記す）に同期して、書き込み時の４／５の期間にラインメモリ６０２から読み出される。
【０１６８】
　ラインメモリ６０２から画像信号を読み出している期間は出力信号選択部６０４は、この画像信号を出力として選択する。また、残りの期間では、出力信号選択部６０４は非画像信号生成部６０３が出力する非画像信号を出力として選択する。
【０１６９】
　このように、該倍速信号変換部から、入力信号における１水平期間に１．２５倍速化された非画像信号と、画像信号が１対４の割合で時系列に出力される。
【０１７０】
　ソースドライバ１９０３の入出力特性を図２４に示す。ソースドライバ１９０３は、信号変換部１５０１の出力信号を入力し、ライン単位で信号の極性を反転して出力する。
【０１７１】
　正極性、負極性の関係を図１７においては各ゲートの選択期間に”＋”、”−”として示している。
【０１７２】
　この極性の切り替えは、制御パルス生成部１４０２が生成する、極性制御信号によって行う。
【０１７３】
　図１７において、ゲートパルスＰ１〜Ｐ１２は、そのＨＩ期間にパネル１９０５上の１２本のゲート線をそれぞれ選択するパルスである。
【０１７４】
　図１７で示す期間Ｔ０＿０では、ゲートパルスＰ５〜Ｐ８が同時にＨＩとなり、ゲート線Ｇ５〜Ｇ８上の画素に、非画像信号が正極性で書き込まれる。それに続く期間Ｔ０＿１からＴ０＿４では、ゲートパルスＰ１からＰ４が順次ＨＩとなり、ゲート線Ｇ１、Ｇ２、Ｇ３、Ｇ４に画像信号Ｓ１、Ｓ２、Ｓ３、Ｓ４が正極性で順次書き込まれる。
【０１７５】
　期間Ｔ０＿５では、ゲートパルスＰ９〜Ｐ１２が同時にＨＩとなり、ゲート線Ｇ９〜Ｇ１２に非画像信号が負極性で書き込まれる。それに続く期間Ｔ０＿６からＴ０＿９では、ゲートパルスＰ５からＰ８が順次ＨＩとなり、ゲート線Ｇ５、Ｇ６、Ｇ７、Ｇ８に画像信号Ｓ５、Ｓ６、Ｓ７、Ｓ８が負極性で順次書き込まれる。
【０１７６】
　ここで、ゲート線Ｇ５、Ｇ６、Ｇ７、Ｇ８上の各画素は、それぞれＴ０＿０〜Ｔ０＿５、Ｔ０＿０〜Ｔ０＿６、Ｔ０＿０〜Ｔ０＿７、Ｔ０＿０〜Ｔ０＿８の期間、非画像信号を保持することになる。このように、パネル上の全てのゲート線が１フレーム期間に２回ずつ選択され、各ゲート線上の画素に画像信号と、非画像信号が１回ずつ書き込まれる。
【０１７７】
　次のフレーム期間の期間Ｔ１＿０では、ゲートパルスＰ５〜Ｐ８が同時にＨＩとなり、ゲート線Ｇ５〜Ｇ８に非画像信号が、先ほどのフレームとは逆に負極性で書き込まれる。同様に、それに続く期間Ｔ１＿１からＴ１＿４では、ゲートパルスＰ１からＰ４が順次ＨＩとなり、ゲート線Ｇ１、Ｇ２、Ｇ３、Ｇ４に画像信号Ｓ’１、Ｓ’２、Ｓ’３、Ｓ’４が、先ほどのフレームとは逆の負極性で順次書き込まれる。
【０１７８】
　以上のように、本発明の第５の実施形態に係る液晶表示装置の駆動方法によれば、各画素に画像信号と非画像信号が交互に書き込まれ、全ての画素について、画素に画像信号が書き込まれた状態に対して非画像信号が書き込まれる場合には、画素に書き込まれた画像信号の極性と、書き込まれる非画像信号の極性とが同一となり、非画像信号の書き込みが容易となる。
【０１７９】
　逆に画素に非画像信号が書き込まれた状態に対して画像信号が書き込まれる場合には、画素に書き込まれた非画像信号の極性と、書き込まれる画像信号の基準電位に対する極性とが逆となり、画像信号書き込みは不利になる。これにより、各画素への画像信号の書き込みの程度が均一化され、表示画質が改善する。
【０１８０】
　なお、本実施形態では基本的な駆動方式をライン単位で信号の極性を反転する、いわゆるライン反転駆動としたが、本発明の効果はそれに限定されるものではなく、各ライン上の隣り合う画素に書き込まれる信号の極性が互いに反転する、いわゆるカラム反転駆動でも同様である。
【０１８１】
　また、本実施形態では駆動周波数を１．２５倍に変換したが、例えば非画像信号を同時に書き込むゲート線数をｎ本（ｎ＝２、３、４、…）とする（ｎ＋１）／（ｎ）倍速変換を行った際も本発明の効果は同様に得られる。
【０１８２】
　（第６の実施形態）
　第５の実施形態においては、通常の駆動に対して駆動周波数が１．２５倍になっており、各画素に対する画素信号の書き込み時間が１／１．２５に短くなる。そこで本発明の第６の実施形態では、第５の実施形態の駆動方式に対して、各画素に対して正規の画素信号書き込みタイミングの直前に、同極性の画素信号を書き込むことで画素信号の書き込みを改善する、いわゆるプリチャージ駆動を導入するものである。
【０１８３】
　図１８は、本発明の第６の実施形態に係る液晶表示装置の構成を示す図である。なお、第６の実施形態に係る液晶表示装置の構成は、上記第５の実施形態に係る液晶表示装置における、駆動パルス生成部１４０２を１８０２に置き換えた構成である。その他の構成は同等であり、当該構成については同一の参照番号を付して、説明を省略する。
【０１８４】
　以下、本発明の第６の実施形態における液晶表示装置の駆動方法を、第５の実施形態と異なる部分を中心に説明する。
【０１８５】
　図２１は、本発明の第６の実施形態に係る液晶表示装置の駆動方法における、入力画像信号、信号変換部１４０１の出力画像信号及びゲートドライバ駆動パルスのタイミングを示した図である。
【０１８６】
　第５の実施形態と同様に、信号変換部１４０１では、入力する画像信号の駆動周波数を１．２５倍に変換し、入力信号における４水平期間に、ソースドライバに対して、非画像信号を１ライン含む５ラインの転送を行う。
【０１８７】
　また、ソースドライバ１９０３は、信号変換部１４０１の出力信号を入力し、ライン単位で信号の極性を反転して出力する。
【０１８８】
　図２１で示す期間Ｔ０＿０では、ゲートパルスＰ１とＰ５〜Ｐ８が同時にＨＩとなり、ゲート線Ｇ１、Ｇ５〜Ｇ８上の画素に、正極性の非画像信号が書き込まれる。それに続く期間Ｔ０＿１で、引き続きゲートパルスＰ１と、さらにＰ２がＨＩになり、正極性の画像信号Ｓ１がゲート線Ｇ１、Ｇ２上の各画素に書き込まれる。このとき、ゲート線Ｇ１上の各画素には直前に正極性の非画像信号が書き込まれており、正極性の画像信号Ｓ１の書き込みが容易となる。
【０１８９】
　次の期間Ｔ０＿２では、ゲートパルスＰ２、Ｐ３が同時にＨＩとなり、すでに正極性の画像信号Ｓ１の書き込みが行われているゲート線Ｇ２上の各画素に対し、同じく正極性の画像信号Ｓ２の書き込みが容易となる。
【０１９０】
　同様に、期間Ｔ０＿３では、ゲートパルスＰ３、Ｐ４が同時にＨＩとなり、すでに正極性の画像信号Ｓ２の書き込みが行われているゲート線Ｇ３上の各画素に対し、正極性の画像信号Ｓ３の書き込みが容易となる。さらに、続く期間Ｔ０＿４では、ゲートパルスＰ４のみがＨＩとなり、すでに正極性の画像信号Ｓ３の書き込みが行われているゲート線Ｇ４上の各画素に対し、正極性の画像信号Ｓ４の書き込みが容易となる。
【０１９１】
　次の期間Ｔ０＿５では、ゲートパルスＰ５とＰ９〜Ｐ１２が同時にＨＩとなり、ゲート線Ｇ５、Ｇ９〜Ｇ１２上の画素に、非画像信号が負極性で書き込まれる。それに続く期間Ｔ０＿６で、引き続きゲートパルスＰ５と、さらにＰ６がＨＩになり、負極性で画像信号Ｓ５がゲート線Ｇ５、Ｇ６上の各画素に書き込まれる。ゲート線Ｇ５上の各画素に対してはすでに負極性の非画像信号が書き込まれており、同じく負極性の画像信号Ｓ５の書き込みが容易となる。
【０１９２】
　また、ゲート線Ｇ５上の各画素は、Ｔ０＿０〜Ｔ０＿５の期間非画像信号を保持することになり、フレーム期間においてこれ以外の期間が画像信号の保持期間となる。
【０１９３】
　以下、極性を反転しながら、期間Ｔ０＿１０では５本のゲート線が同時に選択され、非画像信号が書き込まれ、それ以外の期間では順次２本のゲート線が選択され、画像信号が書き込まれる。
【０１９４】
　期間Ｔ０＿１０では、ゲートパルスＰ１〜Ｐ４とＰ９が同時にゲート線のＨＩとなり、ゲート線Ｇ１〜Ｇ４、Ｇ９上の画素に、正極性の非画像信号が書き込まれる。このゲート線Ｇ１〜Ｇ４への非画像信号の書き込みに関しては、期間Ｔ０＿１〜Ｔ０＿４において、正極性の画像信号Ｓ１〜Ｓ４が書き込まれているために、書き込みは容易である。
【０１９５】
　さらに、次フレームでの駆動に関して説明する。
【０１９６】
　次フレームの最初の期間Ｔ１＿０では、ゲートパルスＰ１とＰ５〜Ｐ８が同時にゲート線のＨＩとなり、ゲート線Ｇ１、Ｇ５〜Ｇ８上の画素に、先のフレームとは逆の負極性の非画像信号が書き込まれる。それに続く期間Ｔ１＿１で、引き続きゲートパルスＰ１と、さらにＰ２がＨＩになり、先のフレームとは逆の負極性の画像信号Ｓ’１がゲート線Ｇ１、Ｇ２上の各画素に書き込まれる。
【０１９７】
　ここで画像信号の極性を先のフレームと逆にするのは、一般的な液晶の駆動と同様に同極性の信号を長時間保持しつづけたときに生じる液晶表示の焼きつき現象を回避するためである。
【０１９８】
　このとき、ゲート線Ｇ１上の各画素には直前に負極性の非画像信号が書き込まれており、負極性の画像信号Ｓ’１の書き込みが容易となる。次の期間Ｔ１＿２では、ゲートパルスＰ２、Ｐ３が同時にＨＩとなり、すでに負極性の画像信号Ｓ’１の書き込みが行われているゲート線Ｇ２上の各画素に対し、負極性の画像信号Ｓ’２の書き込みが容易となる。
【０１９９】
　以上のように、本発明の第６の実施形態では各画素に対して１フレーム期間に２度の画素信号の書き込みを行う駆動において、本発明の第５の実施形態で示した、画像信号と非画像信号の極性制御を維持しつつ、各画素へのプリチャージを行うことにより、書き込み時間が短縮することによる書き込み不足を改善することが可能となる。
【０２００】
　なお、本実施形態では基本的な駆動方式をラインごとに信号の極性を反転する、いわゆるライン反転駆動としたが、本発明の効果はそれに限定されるものではなく、各ライン上の隣り合う画素に書き込まれる信号の極性が互いに反転する、いわゆるカラム反転駆動でも同様である。
【０２０１】
　また、本実施形態では駆動周波数を１．２５倍に変換したが、例えば非画像信号を同時に書き込むゲート線数をｎ本（ｎ＝２、３、４、…）とする（ｎ＋１）／（ｎ）倍速変換を行った際も本発明の効果は同様に得られる。
【０２０２】
　（第７の実施形態）
　第５、第６の実施形態において示した、各ゲート線に対する映像及び非画像信号の極性を考慮した書き込みを、画質を損なうことなく行うためには、１フレーム期間のライン数に制約が生じる。
【０２０３】
　第５の実施形態で示した駆動方式においては、同時に非画像信号の書き込みを行うゲート線数をＮラインとした時、１フレーム期間のライン数の総数Ｙは、Ｎ×（２Ｍ＋１）ライン（Ｍは１以上の整数）である必要がある。第６の実施形態で示した駆動方式においては、同時に非画像信号の書き込みを行うゲート線数をＮラインとした時、１フレーム期間のライン数の総数Ｙは、（Ｎ−１）×（２Ｍ＋１）ライン（Ｍは１以上の整数）である必要がある。
【０２０４】
　図２２に第６の実施形態で示した駆動方式において、上記Ｙが（Ｎ−１）×（２Ｍ＋１）でない場合の例として、Ｙ＝１３の場合の駆動タイミングを示す。この図から明らかなように、ゲート線Ｇ５、Ｇ６、Ｇ７、Ｇ８上の各画素が画像信号を保持する期間はそれぞれ、Ｔ０＿６〜Ｔ０＿１４、Ｔ０＿７〜Ｔ０＿１４、Ｔ０＿８〜Ｔ０＿１４、Ｔ０＿９〜Ｔ０＿１４となる。
【０２０５】
　また、ゲート線Ｇ５上の各画素が画像信号を保持する期間は、上記ゲート線Ｇ１上の各画素が画像信号を保持する期間と同じとなり、同様に、ゲート線Ｇ６、Ｇ７、Ｇ８上の各画素が画像信号を保持する期間は、それぞれゲート線Ｇ２、Ｇ３、Ｇ４上の各画素が画像信号を保持する期間と同じになる。
【０２０６】
　これに対して、ゲート線Ｇ９、Ｇ１０、Ｇ１１、Ｇ１２上の各画素が画像信号を保持する期間はそれぞれ、Ｔ０＿１１〜Ｔ１＿４、Ｔ０＿１２〜Ｔ１＿４、Ｔ０＿１３〜Ｔ１＿４、Ｔ０＿１４〜Ｔ１＿４となり、他のゲート線上の各画素が画像信号を保持する期間とは異なる。これにより、ゲート線Ｇ１〜Ｇ４に対する表示部分と、ゲート線Ｇ５〜Ｇ１３に対する表示部分とで明るさの差が生じてしまう。
【０２０７】
　そこで本発明の第７の実施形態では、１フレーム期間に走査するゲート線数を調整する手段を新たに備え、入力する画像信号の１フレーム期間の走査線総数Ｙが（Ｎ−１）×（２Ｍ＋１）ラインでない場合、これを（Ｎ−１）×（２Ｍ＋１）ラインに調整するようにしたものである。
【０２０８】
　図２３は、本発明の第７の実施形態に係る液晶表示装置の構成を示す図である。図２３において、第７の実施形態に係る液晶表示装置は、図１８に示す第６の実施形態に係る液晶表示装置に、新たにライン数調整部２３０６と、フレームメモリ２３０７と、を備えるものである。
【０２０９】
　以下、本発明の第７の実施形態における液晶表示装置の駆動方法を、第６の実施形態と異なる部分を中心に説明する。
【０２１０】
　図２２は、本発明の第７の実施形態に係る液晶表示装置の駆動方法において、入力する画像信号の１フレーム期間のライン総数ＹがＮ×（２Ｍ＋１）ラインでない場合の、ライン数調整部２３０６と、フレームメモリ２３０７間の入出力信号のタイミングを説明する図である。
【０２１１】
　所定の画像信号の基準タイミングに同期して、フレームメモリへの画像信号の書き込みと読み出しを行う。このとき、フレームメモリへの画像信号の読み出しに使用するクロックの周波数を、フレームメモリからの画像信号の書き込みに使用するクロックの周波数よりも低くする。ここで、水平期間の画像信号数は維持することにより水平期間を長くする一方で、１フレーム期間は維持することにより、１フレーム期間のライン数の調整を行う。
【０２１２】
　上記のように、入力する画像信号の１フレーム期間のライン数Ｙが（Ｎ−１）×（２Ｍ＋１）ラインでない場合、これを（Ｎ−１）×（２Ｍ＋１）ラインに調整し、液晶パネル上のすべての画素に書き込まれる画像信号、非画像信号の極性を統一しつつ、画像信号の保持期間のばらつきを抑圧することで、高画質な表示が可能となる。
【０２１３】
　なお本実施形態では、変換後の１フレーム期間のライン総数Ｙ’をＹ以下とする場合の動作を説明した。これは、一般に画像信号は表示画像に関係のないブランキング期間を含んでおり、１フレーム期間のライン数の総数を少なくしても表示する映像の一部が欠落することはなく、かつライン数を少なくする方向で調整を行うほうが、動作周波数の低減にもつながり、有利であるためである。
【０２１４】
　なお、Ｙが表示すべき画像信号のライン数以下の場合は、フレームメモリへの画像信号の読み出しに使用するクロックの周波数を、フレームメモリからの画像信号の書き込みに使用するクロックの周波数よりも高くすることで、Ｙ’＞Ｙとなる調整を行うことも可能である。
【０２１５】
　また、本実施形態では、プリチャージを行う駆動を例にとって説明したが、必ずしもプリチャージ駆動を併せて行う必要はない。
【産業上の利用可能性】
【０２１６】
　本発明に係る液晶表示装置は、アクティブマトリクス型液晶表示装置の駆動方法および液晶表示装置として有用であり、特に広視野角、高速応答性を有するＯＣＢ液晶モードを利用した液晶表示装置の駆動方法および液晶表示装置に適している。
【図面の簡単な説明】
【０２１７】
【図１】本発明の第１の実施形態に係る液晶表示装置の駆動方法が行う制御を説明する図
【図２】液晶パネルの構成を示す図
【図３】ＯＣＢの電位−透過率曲線を示す図
【図４】本発明の第３の実施形態に係る液晶表示装置の駆動方法が行う制御を説明する図
【図５】倍速信号変換動作の動作を説明するタイミング図
【図６】従来の液晶表示装置の信号変換部の内部構成を示す図
【図７】本発明の第２の実施形態に係る液晶表示装置の構成を示す図
【図８】本発明の第２の実施形態に係る液晶表示装置の駆動方法が行う制御を説明する図
【図９】本発明の第３の実施形態に係る液晶表示装置の構成を示す図
【図１０】本発明の第３の実施形態に係る液晶表示装置の駆動方法が行う制御を説明する図
【図１１】本発明の第３の実施形態に係る液晶表示装置の駆動方法が行う制御を説明する図
【図１２】本発明の第４の実施形態に係る液晶表示装置の構成を示す図
【図１３】本発明の第４の実施形態に係る液晶表示装置の駆動方法が行う制御を説明する図
【図１４】本発明の第５の実施形態に係る液晶表示装置の構成を示す図
【図１５】本発明の第５の実施形態に係る液晶表示装置の信号変換部の内部構成を示す図
【図１６】本発明の第５の実施形態に係る液晶表示装置の信号変換部の動作を説明するタイミング図
【図１７】本発明の第５の実施形態に係る液晶表示装置の駆動方法が行う制御を説明する図
【図１８】本発明の第６の実施形態に係る液晶表示装置の構成を示す図
【図１９】従来の液晶表示装置の構成を示した図
【図２０】従来の液晶表示装置の駆動方法が行う制御を説明する図
【図２１】本発明の第６の実施形態に係る液晶表示装置の駆動方法が行う制御を説明する図
【図２２】本発明の第７の実施形態に係る液晶表示装置の駆動方法が行う制御を説明する図
【図２３】本発明の第７の実施形態に係る液晶表示装置の構成を示す図
【図２４】ソースドライバの入出力特性を示す図
【符号の説明】
【０２１８】
　２０３、１９０３　　ソースドライバ
　２０４、１９０４　　ゲートドライバ
　２０５　　対向駆動部
　２０６　　画素
　２０７　　ＴＦＴ
　３０１　　逆転移防止のための所定電位を挿入しない場合の電位−透過率曲線
　３０２　　逆転移防止のための所定電位を挿入したＣＲ駆動の場合の電位−透過率曲線
　３０３　　臨界電位
　３０４　　最も高い透過率の時の電位
　３０５　　最も低い透過率の時の電位
　７０２、９０２，１２０２，１４０２、１８０２、１９０２、２３０２　　駆動パルス生成部
　６０１、１５０１　　制御信号生成部
　６０２　　ラインメモリ
　６０３　　非画像信号生成部
　６０４　　出力信号選択部
　１４０１、１９０１　　信号変換部
　１９０５　　液晶パネル
　２３０６　　ライン数調整部
　２３０７　　フレームメモリ
【図１】
2004046236.tif 000003
【図２】
2004046236.tif 000004
【図３】
2004046236.tif 000005
【図４】
2004046236.tif 000006
【図５】
2004046236.tif 000007
【図６】
2004046236.tif 000008
【図７】
2004046236.tif 000009
【図８】
2004046236.tif 000010
【図９】
2004046236.tif 000011
【図１０】
2004046236.tif 000012
【図１１】
2004046236.tif 000013
【図１２】
2004046236.tif 000014
【図１３】
2004046236.tif 000015
【図１４】
2004046236.tif 000016
【図１５】
2004046236.tif 000017
【図１６】
2004046236.tif 000018
【図１７】
2004046236.tif 000019
【図１８】
2004046236.tif 000020
【図１９】
2004046236.tif 000021
【図２０】
2004046236.tif 000022
【図２１】
2004046236.tif 000023
【図２２】
2004046236.tif 000024
【図２３】
2004046236.tif 000025
【図２４】
2004046236.tif 000026